(57)【要約】【課題】単層型のフレキシブル配線板を使用した場合であっても、伝送の高効率化が図られて所望の入力を取り出すことが可能な伝送線路構造、光ピックアップ及び光ディスク装置を提供する。【解決手段】光ディスク装置１の光ピックアップ１０に設けた伝送線路構造３０は、絶縁体部３１ａ及び絶縁体部３１ａの内部に設けた伝送線路３１ｂを含む単層型のフレキシブル配線板３１と、フレキシブル配線板３１の一方の外面に密着させた光ディスク装置１の導体部で構成される接地導体部３３と、を備える。【選択図】図２
2015041399.tif 000002
【特許請求の範囲】
【請求項１】
機器に設けられる伝送線路構造であって、
絶縁体部及び前記絶縁体部の内部に設けた伝送線路を含む単層型のフレキシブル配線板と、
前記フレキシブル配線板の少なくとも一方の外面に密着させた前記機器の導体部で構成される接地導体と、
を備えることを特徴とする伝送線路構造。
【請求項２】
前記フレキシブル配線板を前記接地導体に向けて押し付けながら保持する保持部を備えることを特徴とする請求項１に記載の伝送線路構造。
【請求項３】
前記フレキシブル配線板を前記接地導体に密着させるための接着剤を備えることを特徴とする請求項１または請求項２に記載の伝送線路構造。
【請求項４】
請求項１〜請求項３のいずれか１項に記載の伝送線路構造を備えたことを特徴とする光ピックアップ。
【請求項５】
光源と、前記光源の駆動回路と、を備え、
前記伝送線路構造を、前記光源と前記駆動回路とを電気的に接続するために用いたことを特徴とする請求項４に記載の光ピックアップ。
【請求項６】
請求項１〜請求項３のいずれか１項に記載の伝送線路構造を備えたことを特徴とする光ディスク装置。
【発明の詳細な説明】
【技術分野】
【０００１】
本発明は伝送線路構造、光ピックアップ及び光ディスク装置に関する。
【背景技術】
【０００２】
光ディスク装置はＢＤ（Blu-ray（登録商標） Disc）やＤＶＤ（Digital Versatile Disc）、ＣＤ（Compact Disc）などの光ディスクから情報を読み取ったり、光ディスクに情報を書き込んだりする際に利用される。光ディスク装置は光ピックアップを用いて光源からの光を光ディスクに向かって照射し、光ディスクで反射した光を読み取って電気信号に変換、出力する。そのような従来の光ディスク装置が例えば特許文献１に開示されている。
【０００３】
特許文献１に記載された従来の光ディスク装置は光ディスクに対して光ビームを照射するために集光する対物レンズと、対物レンズの位置調整を行うための対物レンズアクチュエータと、対物レンズ及び対物レンズアクチュエータを搭載して光ディスクの径方向に移動可能なキャリッジと、を備える。そして、このキャリッジに対する電力供給用及び信号伝送用にフレキシブルケーブルを用いる。フレキシブルケーブルは屈曲性が良いのでキャリッジの移動に支障を与えず、ケーブルの設置スペースが小さくなる点で効果的であるとしている。
【先行技術文献】
【特許文献】
【０００４】
【特許文献１】特開平６−１５０５８０号公報
【発明の概要】
【発明が解決しようとする課題】
【０００５】
ここで、例えば光源駆動回路から光源までの伝送路では、発光の立ち上がりやオーバーシュートなどといった記録特性を所望以上確保するために伝送路のインピーダンス整合を行う必要があった。このため、マイクロスプリットラインなどといった一方の導体が伝送線路で他方の導体が接地導体からなる２層型のフレキシブル配線板を使用しなければならなかった。しかしながら、２層型のフレキシブル配線板は比較的高価であるため、機器がコストアップすることが懸念されていた。比較的安価な単層型のフレキシブル配線板の使用が望まれていた。
【０００６】
本発明は、上記の点に鑑みなされたものであり、単層型のフレキシブル配線板を使用した場合であっても、伝送の高効率化が図られて所望の入力を取り出すことが可能な伝送線路構造、光ピックアップ及び光ディスク装置を提供することを目的とする。
【課題を解決するための手段】
【０００７】
上記の課題を解決するため、本発明に係る伝送線路構造は機器に設けられる伝送線路構造であって、絶縁体部及び前記絶縁体部の内部に設けた伝送線路を含む単層型のフレキシブル配線板と、前記フレキシブル配線板の少なくとも一方の外面に密着させた前記機器の導体部で構成される接地導体と、を備えることを特徴としている。
【０００８】
この構成によれば、単層型のフレキシブル配線板の外面に接地導体が設けられる形態となる。したがって、２層型のフレキシブル配線板と同等の構成になるので、伝送の高効率化が図られる。
【０００９】
また、上記構成の伝送線路構造において、前記フレキシブル配線板を前記接地導体に向けて押し付けながら保持する保持部を備えることを特徴としている。
【００１０】
この構成によれば、単層型のフレキシブル配線板の外面に接地導体が密着する精度が高まる。したがって、２層型のフレキシブル配線板に一層近い構成になるので、伝送の高効率化が図られる。
【００１１】
また、上記構成の伝送線路構造において、前記フレキシブル配線板を前記接地導体に密着させるための接着剤を備えることを特徴としている。
【００１２】
この構成によれば、単層型のフレキシブル配線板の外面に接地導体が密着する精度がさらに高まる。したがって、２層型のフレキシブル配線板により一層近い構成になるので、伝送の高効率化が図られる。
【００１３】
また、本発明に係る光ピックアップは上記伝送線路構造を備えることとした。
【００１４】
この構成によれば、光ピックアップにおいて、伝送の高効率化が図られる。
【００１５】
また、上記構成の光ピックアップにおいて、光源と、前記光源の駆動回路と、を備え、前記伝送線路構造を、前記光源と前記駆動回路とを電気的に接続するために用いたことを特徴としている。
【００１６】
この構成によれば、光源の駆動回路から光源までの伝送路において、伝送の高効率化が図られる。したがって、発光の立ち上がりやオーバーシュートなどといった記録特性を所望以上確保することができる。
【００１７】
また、本発明に係る光ディスク装置は上記伝送線路構造を備えることとした。
【００１８】
この構成によれば、光ディスク装置において、伝送の高効率化が図られる。
【発明の効果】
【００１９】
本発明の構成によれば、単層型のフレキシブル配線板を使用した場合であっても、伝送の高効率化が図られて所望の入力を取り出すことが可能な伝送線路構造、光ピックアップ及び光ディスク装置を提供することができる。
【図面の簡単な説明】
【００２０】
【図１】本発明の第１実施形態に係る光ディスク装置の構成図である。
【図２】本発明の第１実施形態に係る光ディスク装置のレーザ素子とレーザ素子駆動回路との間の伝送線路構造を示す断面図である。
【図３】本発明の第２実施形態に係る光ディスク装置のレーザ素子とレーザ素子駆動回路との間の伝送線路構造を示す断面図である。
【図４】本発明の第２実施形態に係る光ディスク装置のフレキシブル配線板の平面図である。
【発明を実施するための形態】
【００２１】
以下、本発明の実施形態を図１〜図４に基づき説明する。なお、本実施形態の光ディスク装置はＢＤ、ＤＶＤ、ＣＤなどといった規格の光ディスクに対して情報の読み取りや書き込みを行うことができる。
【００２２】
＜第１実施形態＞
最初に、本発明の第１実施形態に係る光ディスク装置について、図１を用いてその構成の概略を説明する。図１は光ディスク装置の構成図である。光ディスクは図１における紙面手前側に配置される。
【００２３】
光ディスク装置１は、図１に示すように光ピックアップ１０、信号処理部２及び制御部３を備える。そして、光ピックアップ１０は第１レーザ素子１１、ビームスプリッタ１２、偏光ビームスプリッタ１３、１／４波長板１４、コリメートレンズ１５、第１分割ミラー１６、第１対物レンズ１７、第２レーザ素子１８、回折素子１９、第２分割ミラー２０、第２対物レンズ２１、シリンドリカルレンズ２２、光検出器２３、モニター部２４、第１レーザ素子駆動回路（ＬＤＤ１）２５及び第２レーザ素子駆動回路（ＬＤＤ２）２６を備える。
【００２４】
なお、光ピックアップ１０は複数の光学部材がＤＶＤ及びＣＤ用の光路と、ＢＤ用の光路とで共用される構成をなす。これにより、光ピックアップ１０は少ない部品点数でＢＤ、ＤＶＤ及びＣＤに対応することが可能であり、構成がより小型化されている。
【００２５】
まず、ＤＶＤ及びＣＤ用の光路に関して各構成要素を説明する。第１レーザ素子１１は半導体レーザ素子からなる。第１レーザ素子１１はＤＶＤ用の例えば波長６５０ｎｍ帯のレーザ光と、ＣＤ用の例えば波長７８０ｎｍ帯のレーザ光とを切り替えて出射できる２波長レーザからなる。第１レーザ素子１１は制御部３により制御された第１レーザ素子駆動回路２５から駆動電流が供給されると、その駆動電流に対応した強度のレーザ光を出射する。
【００２６】
第１レーザ素子１１が出射したレーザ光はビームスプリッタ１２により反射され、偏光ビームスプリッタ１３を透過する。偏光ビームスプリッタ１３はＢＤ用のレーザ光に作用する光学部材であり、ＤＶＤ及びＣＤ用のレーザ光各々はその偏光状態に関係なく透過する。
【００２７】
偏光ビームスプリッタ１３を透過した第１レーザ素子１１のレーザ光は１／４波長板１４を透過してコリメートレンズ１５に至り、平行光に変換される。コリメートレンズ１５は不図示のレンズ駆動機構によって光軸方向（図１に示す白抜き矢印の方向）に移動可能である。コリメートレンズ１５は光ディスクの種類やレイヤージャンプ等に応じて適宜移動される。コリメートレンズ１５が移動可能であるのは、第１対物レンズ１７及び第２対物レンズ２１に入射するレーザ光の収束、発散度合いを調節して、球面収差の影響を適切に抑制できるようにするためである。
【００２８】
コリメートレンズ１５を透過した第１レーザ素子１１の平行光からなるレーザ光は第１分割ミラー１６によって所定の反射角度で反射されて第１対物レンズ１７に至る。第１対物レンズ１７は入射したレーザ光を光ディスクの情報記録面に集光する。
【００２９】
第１対物レンズ１７により光ディスクの情報記録面に集光した第１レーザ素子１１のレーザ光はその情報記録面で反射して戻り光となる。第１レーザ素子１１の戻り光は第１対物レンズ１７を透過後に第１分割ミラー１６で反射され、コリメートレンズ１５、１／４波長板１４、偏光ビームスプリッタ１３、ビームスプリッタ１２を順に透過する。ビームスプリッタ１２を透過した第１レーザ素子１１の戻り光はシリンドリカルレンズ２２を透過することで非点収差が補正され、光検出器２３の所定の受光領域に集光される。
【００３０】
光検出器２３は入射した第１レーザ素子１１の戻り光を電気信号に光電変換して出力する。光検出器２３が出力した電気信号は信号処理部２に送られる。信号処理部２は再生信号、フォーカスエラー信号、トラッキングエラー信号等を生成する。フォーカスエラー信号及びトラッキングエラー信号は制御部３に出力され、制御部３が第１対物レンズ１７の適正な位置調整を行うためのフォーカシング制御及びトラッキング制御に利用する。第１対物レンズ１７は不図示のレンズ位置調整機構によって位置調整が可能である。
【００３１】
次に、ＢＤ用の光路に関して各構成要素を説明する。第２レーザ素子１８は半導体レーザ素子からなる。第２レーザ素子１８はＢＤ用の例えば波長４０５ｎｍ帯のレーザ光を出射できる。第２レーザ素子１８は制御部３により制御された第２レーザ素子駆動回路２６から駆動電流が供給されると、その駆動電流に対応した強度のレーザ光を出射する。
【００３２】
第２レーザ素子１８が出射したレーザ光は回折素子１９によって主光と２つの副光とに分けられる。回折素子１９を透過した第２レーザ素子１８のレーザ光は偏光ビームスプリッタ１３によって反射される。
【００３３】
偏光ビームスプリッタ１３を透過した第２レーザ素子１８のレーザ光は１／４波長板１４を透過してコリメートレンズ１５に至り、平行光に変換される。コリメートレンズ１５を透過した第１レーザ素子１１の平行光からなるレーザ光は第１分割ミラー１６に至る。第１分割ミラー１６はダイクロイックミラーであり、ＤＶＤ及びＣＤ用のレーザ光は反射するが、ＢＤ用のレーザ光は透過可能となっている。
【００３４】
第１分割ミラー１６を透過した第２レーザ素子１８のレーザ光は第２分割ミラー２０によって所定の反射角度で反射されて第２対物レンズ２１に至る。第２対物レンズ２１は入射したレーザ光を光ディスクの情報記録面に集光する。
【００３５】
第２対物レンズ２１により光ディスクの情報記録面に集光した第２レーザ素子１８のレーザ光はその情報記録面で反射して戻り光となる。第２レーザ素子１８の戻り光は第２対物レンズ２１を通過後に第２分割ミラー２０で反射され、第１分割ミラー１６、コリメートレンズ１５、１／４波長板１４、偏光ビームスプリッタ１３、ビームスプリッタ１２を順に透過する。ビームスプリッタ１２を透過した第２レーザ素子１８の戻り光はシリンドリカルレンズ２２を透過することで非点収差が補正され、光検出器２３の所定の受光領域に集光される。
【００３６】
光検出器２３は入射した第２レーザ素子１８の戻り光を電気信号に光電変換して出力する。光検出器２３が出力した電気信号は信号処理部２に送られる。信号処理部２は再生信号、フォーカスエラー信号、トラッキングエラー信号等を生成する。フォーカスエラー信号及びトラッキングエラー信号は制御部３に出力され、制御部３が第２対物レンズ２１の適正な位置調整を行うためのフォーカシング制御及びトラッキング制御に利用する。第２対物レンズ２１は不図示のレンズ位置調整機構によって位置調整が可能である。
【００３７】
また、第１分割ミラー１６は第１レーザ素子１１のレーザ光の一部を第１対物出射光として第１対物レンズ１７に向けて反射し、第１レーザ素子１１のレーザ光の残りを第１モニター光として透過する。同様に、第２分割ミラー２０は第２レーザ素子１８のレーザ光の一部を第２対物出射光として第２対物レンズ２１に向けて反射し、第２レーザ素子１８のレーザ光の残りを第２モニター光として透過する。なお、第２分割ミラー２０は第１レーザ素子１１の第１モニター光を透過する。
【００３８】
モニター部２４は第１レーザ素子１１の第１モニター光と第２レーザ素子１８の第２モニター光とを受光し、電気信号に光電変換して出力する。モニター部２４が出力した電気信号は制御部３に送られる。制御部３は受信した第１モニター光と第２モニター光とに係る信号に基づき、第１レーザ素子駆動回路２５及び第２レーザ素子駆動回路２６を介して第１レーザ素子１１及び第２レーザ素子１８のレーザ出力を制御する。
【００３９】
続いて、光ディスク装置１のレーザ素子とレーザ素子駆動回路との間の伝送線路構造について、図１に加えて図２を用いて説明する。図２は光ディスク装置１のレーザ素子とレーザ素子駆動回路との間の伝送線路構造を示す断面図である。
【００４０】
なお、第１レーザ素子１１と第１レーザ素子駆動回路（ＬＤＤ１）２５との間の伝送線路構造と、第２レーザ素子１８と第２レーザ素子駆動回路（ＬＤＤ２）２６との間の伝送線路構造とは構造が共通するので、各々に同じ符号を付してその一方について以下で説明するものとする。また、各々の伝送線路構造は後述するフレキシブル配線板を共用することもある。
【００４１】
光ディスク装置１のレーザ素子とレーザ素子駆動回路との間の伝送線路構造３０は、図２に示すようにフレキシブル配線板３１、配線板ガイド部３２、接地導体部３３及び保持部３４を備える。なお、フレキシブル配線板３１はその伝送線路３１ｂが図２における紙面奥行き方向に沿って延び、図２の横方向がフレキシブル配線板３１の幅方向である。
【００４２】
フレキシブル配線板３１は絶縁体部３１ａと伝送線路３１ｂとを含み、柔軟性が高い配線板である。絶縁体部３１ａは例えば不図示のベースフィルム、接着層及びカバーレイ等からなる。ベースフィルム及びカバーレイは例えばポリイミド、ポリエチレンテレフタレート等の合成樹脂で構成される。絶縁体部３１ａはその内部、すなわちベースフィルムとカバーレイとの間に銅などの金属からなる導体である伝送線路３１ｂが設けられる。フレキシブル配線板３１はその厚み方向に関して伝送線路３１ｂが単一の層内に配置された単層型のフレキシブル配線板である。
【００４３】
配線板ガイド部３２は光ピックアップ１０の筐体２７の一面に接して設けられる。配線板ガイド部３２はフレキシブル配線板３１を収容可能な大きさの断面略矩形をなし、フレキシブル配線板３１を内包する。フレキシブル配線板３１は図２における配線板ガイド部３２の上面に設けた開口３２ａを通して配線板ガイド部３２の内部に収容される。
【００４４】
接地導体部３３は配線板ガイド部３２の内部に設けられる。接地導体部３３はフレキシブル配線板３１に向かって、すなわち図２における配線板ガイド部３２の内底面から上方に向かって突出し、フレキシブル配線板３１が延びる方向（図２の紙面奥行き方向）に沿って延びる突条からなる。フレキシブル配線板３１は図２における接地導体部３３の上面に載置される。接地導体部３３、すなわち筐体２７は導体であり、電気的にグランド（ＧＮＤ）になっている。
【００４５】
保持部３４は光ピックアップ１０のヒートシンク２８の一部として設けられる。保持部３４は図２における上方から下方に向かって配線板ガイド部３２の開口３２ａに挿入可能な形状及び大きさになるよう、ヒートシンク２８の一部を折り曲げて形成される。保持部３４は図２におけるフレキシブル配線板３１の上面に接触する。保持部３４は図２における上方からフレキシブル配線板３１を接地導体部３３に向けて押し付けて密着させ、フレキシブル配線板３１を配線板ガイド部３２の内部で保持する。
【００４６】
なお、伝送線路構造３０ではインピーダンス整合を行うためにフレキシブル配線板３１においてカバーレイの厚みの調整を実施する。このため、フレキシブル配線板３１はカバーレイ側が接地導体部３３に密着するよう配置される。また、レーザ素子とレーザ素子駆動回路との間の必要な領域のみにおいてフレキシブル配線板３１を接地導体部３３に密着させるようにしても良い。
【００４７】
上記のように、本発明の実施形態に係る光ディスク装置１の光ピックアップ１０に設けた伝送線路構造３０は、絶縁体部３１ａ及び絶縁体部３１ａの内部に設けた伝送線路３１ｂを含む単層型のフレキシブル配線板３１と、フレキシブル配線板３１の一方の外面に密着させた光ディスク装置１の導体部で構成される接地導体部３３と、を備える。これにより、単層型のフレキシブル配線板３１の外面に接地導体が設けられる形態となる。したがって、２層型のフレキシブル配線板と同等の構成になるので、伝送の高効率化を図ることが可能となる。すなわち、レーザ素子において、レーザ発光の立ち上がりやオーバーシュートなどといった記録特性を所望以上確保することができる。
【００４８】
また、伝送線路構造３０はフレキシブル配線板３１を接地導体部３３に向けて押し付けながら保持する保持部３４を備える。これにより、単層型のフレキシブル配線板３１の外面に接地導体部３３が密着する精度を高めることができる。したがって、２層型のフレキシブル配線板に一層近い構成になるので、伝送の高効率化を図ることが可能となる。
【００４９】
＜第２実施形態＞
次に、本発明の第２実施形態に係る光ディスク装置について、図３及び図４を用いてその構成を説明する。図３は光ディスク装置のレーザ素子とレーザ素子駆動回路との間の伝送線路構造を示す断面図、図４は光ディスク装置のフレキシブル配線板の平面図である。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００５０】
第２実施形態に係る光ディスク装置１では、伝送線路構造３０が、図３に示すようにフレキシブル配線板３１、接地導体部３３、溝部３５、接着剤３６及び保持部３７を備える。
【００５１】
接地導体部３３は複数の溝部３５を備える。溝部３５はフレキシブル配線板３１が延びる方向（図３の紙面奥行き方向）に沿って平行に延びる。
【００５２】
接着剤３６は溝部３５に充填される。接着剤３６は硬化収縮の度合いが大きいものが好ましい。この接着剤３６に作用により、フレキシブル配線板３１が図３における接地導体部３３の上面に密着する。
【００５３】
保持部３７は光ピックアップ１０の筐体２７の一部として設けられる。保持部３７はフレキシブル配線板３１の幅方向（図３の横方向）の両端部各々に対応する箇所に各々配置される。保持部３７はフレキシブル配線板３１に向かって、すなわち図３における筐体２７の上面から上方に向かって突出し、フレキシブル配線板３１の上面に対応する箇所でフレキシブル配線板３１の幅方向外側に向かってフック状に屈曲している。
【００５４】
この保持部３７に対して、フレキシブル配線板３１は、図３及び図４に示すように突出片３１ｃ及び貫通孔３１ｄを備える。突出片３１ｃはフレキシブル配線板３１の本体部の幅方向の両端部から各々外側に向かって突出する。貫通孔３１ｄは保持部３７を挿入可能な形状及び大きさをなし、２箇所の突出片３１ｃ各々においてフレキシブル配線板３１の厚さ方向に貫通する。
【００５５】
フレキシブル配線板３１を図３における接地導体部３３の上面に載置するとき、フレキシブル配線板３１の貫通孔３１ｄに保持部３７を通し引っ掛けるようにして載置する。保持部３７は図３における上方からフレキシブル配線板３１を接地導体部３３に向けて押し付けて密着させ、フレキシブル配線板３１を保持する形状及び大きさをなす。
【００５６】
上記のように、伝送線路構造３０は、フレキシブル配線板３１を接地導体部３３に密着させるための接着剤３６を備える。これにより、単層型のフレキシブル配線板３１の外面に接地導体部３３が密着する精度をさらに高めることができる。したがって、２層型のフレキシブル配線板により一層近い構成になるので、伝送の高効率化を図ることが可能となる。
【００５７】
以上、本発明の実施形態につき説明したが、本発明の範囲はこれに限定されるものではなく、発明の主旨を逸脱しない範囲で種々の変更を加えて実施することができる。
【産業上の利用可能性】
【００５８】
本発明は伝送線路構造、光ピックアップ及び光ディスク装置において利用可能である。
【符号の説明】
【００５９】
１    光ディスク装置
２    信号処理部
３    制御部
１０    光ピックアップ
１１    第１レーザ素子（光源）
１８    第２レーザ素子（光源）
２５    第１レーザ素子駆動回路（駆動回路）
２６    第２レーザ素子駆動回路（駆動回路）
３０    伝送線路構造
３１    フレキシブル配線板
３３    接地導体部（接地導体）
３４、３７    保持部
３５    溝部
３６    接着剤
【図１】
2015041399.tif 000003
【図２】
2015041399.tif 000004
【図３】
2015041399.tif 000005
【図４】
2015041399.tif 000006